(57)【要約】  本発明は、互いに離隔された複数の固定基地局（１、２）と、前記基地局の送信及び受信範囲にある固定式の、及び／又は、例えば移動無線電話などの移動式の移動無線局（６）とを有する移動無線網におけるピンポンハンドオーバを回避する方法であって、その接続／アクティブモードで、ソース基地局から目的基地局への移動無線局の望ましくない繰り返しのハンドオーバが回避され、更に、前記移動無線局と前記基地局との間でハンドオーバを開始するためのシステムメッセージが伝送されるが、該システムメッセージがすでに実行されたハンドオーバに関する履歴情報を伝送するために使用され、該情報が前記移動無線局（６）及び／又は前記関与する基地局（１、２）のうちの少なくとも１つの最適動作パラメータを自動的に検出及び調節するために使用される方法に関する。目的は、移動無線網のピンポンハンドオーバを回避する方法、特に、異なるメーカのネットワークエレメントを有するネットワークにおけるピンポンハンドオーバを回避する方法を改良して、コストのかかる「手動による」測定体験を必要とせずに、移動無線網及び／又は基地局のパラメータ、特に、受信電界強度のヒステリシスが自動的に且つ独立に調節されるようにしてピンポンハンドオーバを回避することである。
2010536294.tif 000002
【特許請求の範囲】
【請求項１】
互いに離隔された固定基地局（１、２）により画定される複数の無線セル（３、４）と、前記基地局の送信及び受信範囲にある固定式の、及び／又は、例えば移動無線電話などの移動式の移動無線局（６）とを有する移動無線網におけるピンポンハンドオーバを回避する方法であって、接続が確立された状態での接続／アクティブモードで、ハンドオーバ方法により、ソース基地局（１又は２）から目的基地局（２又は１）への移動無線局（６）の望ましくない繰り返しのハンドオーバが回避されるが、前記移動無線局（６）と前記基地局（１、２）との間で、前記ハンドオーバ方法を開始するためのものでもあるシステムメッセージが伝送される方法において、すでに実行されたハンドオーバ方法に関する履歴情報が前記ハンドオーバ方法を開始するためのシステムメッセージで伝送され、そして、該情報によって前記移動無線局（６）及び／又は前記関与する基地局（１、２）のうちの少なくとも１つの最適動作パラメータが、前記移動無線局（６）によって、及び／又は、前記関与する基地局（１、２）のうちの少なくとも１つによって自動的に検出及び調節されることを特徴とする方法。
【請求項２】
前記履歴情報が、最後にハンドオーバを要求した基地局（１又は２）の識別子を含むことを特徴とする請求項１に記載の方法。
【請求項３】
前記履歴情報が、例えば、前記移動無線局（６）及び／又は前記基地局（１、２）の受信電界強度及び／又は送信電界強度（７、９）などの、基地局（１、２）のハンドオーバ要求理由を含むことを特徴とする請求項１又は２に記載の方法。
【請求項４】
前記履歴情報が、基地局の単位時間あたりのハンドオーバ要求の頻度を含むことを特徴とする請求項１乃至３のうちの一項に記載の方法。
【請求項５】
前記移動無線局（６）及び／又は前記関与する基地局（１、２）のうちの少なくとも１つの前記最適動作パラメータが、前記移動無線局（６）及び／又は前記関与する基地局（１、２）のうちの少なくとも１つの前記受信電界強度及び／又は送信電界強度（７、９）のヒステリシス公差を有する差分値（１１）を含み、特に、前記移動無線局（６）の最適ヒステリシス公差が設定されることを特徴とする請求項１乃至４のうちの一項に記載の方法。
【請求項６】
前記移動無線局（６）及び／又は前記関与する基地局（１、２）のうちの少なくとも１つの前記最適動作パラメータが、ハンドオーバをトリガする前記対応するネットワークエレメント（６）において特に設定される前記受信電界強度及び／又は送信電界強度（７、９）の事前に定義された上絶対値及び／又は下絶対値を含むことを特徴とする請求項１乃至５のうちの一項に記載の方法。
【請求項７】
前記移動無線局（６）の前記最適動作パラメータが、特に、前記移動無線局（６）によって調節されるＲＲＭ（Ｒａｄｉｏ  Ｒｅｓｓｏｕｒｃｅ  Ｍａｎａｇｅｍｅｎｔ）パラメータを含むことを特徴とする請求項１乃至６のうちの一項に記載の方法。
【請求項８】
前記移動無線網（３、４）が、ＧＳＭネット、ＵＭＴＳネット、又はＬＴＥ移動無線網又は、例えば、ＷｉＭＡＸである等価の移動無線網であることを特徴とする請求項１乃至７のうちの一項に記載の方法。
【請求項９】
前記方法が、同じ及び異なるメーカのネットワークエレメントを有するネットワーク（３、４）において用いられることを特徴とする請求項１乃至８のうちの一項に記載の方法。
【発明の詳細な説明】
【技術分野】
【０００１】
本発明は、請求項１の前提部に記載の移動無線網、特に、種々異なるメーカのネットワークエレメントを有するネットワークにおけるピンポンハンドオーバを回避する方法に関する。
【背景技術】
【０００２】
ピンポンハンドオーバは、接続/アクティブモード（接続確立済）で移動無線局（例えば携帯電話）がソース基地局から目的基地局への望ましくないハンドオーバを繰り返すことを意味するものと理解されている。
【０００３】
既存の移動無線システム、例えば２Ｇ（ＧＳＭ−Ｇｌｏｂａｌ  Ｓｙｓｔｅｍ  ｆｏｒ  Ｍｏｂｉｌｅ  Ｃｏｍｍｕｎｉｃａｔｉｏｎ）及び３Ｇ（ＵＭＴＳ−Ｕｎｉｖｅｒｓａｌ  Ｍｏｄｅ  Ｔｅｌｅｃｏｍｍｕｎｉｃａｔｉｏｎ  Ｓｙｓｔｅｍ）では、例えば、Ｂａｓｅ  Ｓｔａｔｉｏｎ  Ｃｏｎｔｒｏｌｌｅｒ（ＢＳＣ）又はＲａｄｉｏ  Ｎｅｔｗｏｒｋ  Ｃｏｎｔｒｏｌｌｅｒ（ＲＮＣ）などの中央のネットワークコンポーネントは、接続／アクティブモードでの移動無線局の１つの基地局から別の基地局への切り替え（＝ハンドオーバ）の決定に対して責任を負っている。ハンドオーバを開始するという決定は、移動局若しくは基地局の測定結果（ｍｅａｓｕｒｅｍｅｎｔ  ｒｅｐｏｒｔｓ）に基づいてＢＳＣ又はＲＮＣにおけるメーカ独自のハンドオーバアルゴリズムによって開始される。ハンドオーバを開始するかどうかの決定に影響を与えるのは、主として移動無線局の受信電界強度、及びそこから導出される、例えばパワーバジェットなどの変数である。ハンドオーバの決定に影響を与える受信電界強度を、例えば、３Ｇ及び２Ｇにおいて測定することは十分に知られている。
【０００４】
無線領域は時間や空間に応じて大きく変化するので、ハンドオーバの決定の際に測定値、つまり移動無線局の受信電界強度を、対応するヒステリシスと共に考慮する必要がある。
【０００５】
２つの基地局間での移動局のハンドオーバ平均値を越える頻繁なハンドオーバの発生があると、これらの基地局間でピンポンハンドオーバ挙動があるものと推察可能である。
【０００６】
これまで、調整対象のヒステリシスの大きさを、標準値（デフォルト値）に合わせてから手動で最適化してきた。これまで、ピンポンハンドオーバ挙動は、異常に頻繁なハンドオーバの発生によって、若しくは、接続中断や品質の低下に関する顧客からのクレームによって間接的にしか特定できなかった。
【０００７】
品質問題即ち頻繁なハンドオーバの発生についての正確な原因を正しく特定することは、後追いの測定体験によってのみ可能であった。品質問題即ち頻繁なハンドオーバの発生がピンポンハンドオーバに起因することが確認されると、担当のネットワークエレメントにおけるハンドオーバ閾値即ちヒステリシスをこれに応じて適応させていた。
【０００８】
今まさに開発中の、Ｓｕｐｅｒ３Ｇ又は３ＧＰＰとも呼ばれるＬＴＥ（Ｌｏｎｇ  Ｔｅｒｍ  Ｅｖｏｌｕｔｉｏｎ）移動無線システムでは、中央の制御エレメントの排除と無線インターフェース（ＲＲＭ＝Ｒａｄｉｏ  Ｒｅｓｏｕｒｃｅ  Ｍａｎａｇｅｍｅｎｔ）の制御器の分散配置とで２つの基地局（例えばｅＮｏｄｅＢ）間で望ましくないピンポンハンドオーバが生じる確率が高くなり、それとともに技術的要件が高くなる。
【０００９】
種々異なるメーカのｅＮｏｄｅＢが隣接する場合、そこで用いられる決定アルゴリズムもそれぞれ異なることになるので、起こり得る問題はさらに大きくなる。
【発明の概要】
【発明が解決しようとする課題】
【００１０】
したがって、本発明の課題は、冒頭で述べた従来技術を出発点として、移動無線網、特に種々異なるメーカのネットワークエレメントを有するネットワークにおけるピンポンハンドオーバを回避する方法をさらに改良して、コストのかかる「手動による」測定体験を必要とせずに、移動無線網及び／又は基地局のパラメータ、特に、受信電界強度のヒステリシスが自動的に且つ独立に調整されるようにしてピンポンハンドオーバを回避することである。
【課題を解決するための手段】
【００１１】
本発明にとって特徴的なのは、ハンドオーバを開始するための対応するシステムメッセージで、すでに実行されたハンドオーバに関する対応する履歴情報が伝送されることである。この履歴情報を用いることで、移動無線機器の最適パラメータ、特に、受信電界強度のヒステリシスがこのシステムによって自動的に決定及び調節されることである。
【発明の効果】
【００１２】
利点は、このことによって手動の最適化措置を軽減又は本当に完全に不必要にし、コストを節減できることである。こうすることで、メーカ独自の対応する決定アルゴリズム（ＲＲＭアルゴリズム）を開示しなくても、移動無線システム自身で最適化することも可能である。
【００１３】
自己最適化法を実現するためには、ピンポンハンドオーバ挙動が生じていることを認識すること、ピンポンハンドオーバを回避するために、例えば、ヒステリシス値、ハンドオーバ閾値、及び一般的にはＲＲＭパラメータを適応させるなどの対抗措置を講じることが必要である。
【００１４】
ピンポンハンドオーバは、先行するハンドオーバのデータに基づいて認識することができる。
【００１５】
現在のハンドオーバに先行するハンドオーバに関する情報を付加的に伝送することによって、目的基地局（例えば、ｅＮｏｄｅＢ）がピンポンハンドオーバの有無を認識し、これに対応して以後のピンポンハンドオーバを回避するための適切な対抗措置をとることが可能になる。
【００１６】
ピンポンハンドオーバを認識するための情報は、例えば、最後にハンドオーバを要求した基地局の識別子と、例えば、負荷、電界強度、パワーバジェット、品質、距離などの基地局のハンドオーバ要求理由と、このハンドオーバ要求の単位時間あたりの頻度などである。
【００１７】
これらの情報が、ハンドオーバ要求に加えて、移動無線網の対応するシステムメッセージで伝送された場合に、ネットワークエレメントに実装された決定アルゴリズムがピンポンハンドオーバを認識して、例えば、ヒステリシス又はハンドオーバ閾値などのコンフィギュレーションパラメータをピンポンハンドオーバが生じなくなるように適応させることが可能である。
【００１８】
以下、本発明のさらなる特徴と利点を図示する図面に基づいて本発明を詳細に説明する。
【図面の簡単な説明】
【００１９】
【図１】従来技術による隣接する２つの基地局間の電界強度の原理図であり、該２つの隣接する基地局間にある移動無線機器の受信電界強度のヒステリシスが過度に小さいものの原理図である。
【図２】本発明による隣接する２つの基地局間の電界強度の原理図であり、該２つの隣接する基地局間にある移動無線機器の受信電界強度のヒステリシスが最適化されたものの原理図である。
【発明を実施するための形態】
【００２０】
図１は、互いに隣接して互いに距離Ｘをとる２つの基地局１、２間の従来技術による電界強度グラフを示し、該基地局は、それぞれ無線セル３、４を画定し、該無線セルの境界領域５には携帯電話の形態の移動無線機器６がある。
【００２１】
左側基地局１から放射された電界強度は、移動無線機器６によって実際に受信可能な電界強度７として非周期的波線の形態で示され、左から右へ定常的に下降している曲線８が受信電界強度７の平均値に相当する。
【００２２】
基地局２についても同じことが当てはまり、その放射された電界強度が、移動無線機器６によって実際に受信可能な電界強度９として非周期的波線の形態で示され、左から右へ定常的に上昇している曲線１０が受信電界強度９の平均値に相当する。
【００２３】
ここでは、両基地局１、２の両無線セル３、４間の境界５に移動無線機器６があり、そこでは、受信電界強度７、９の両平均値８、１０が略等しい値Ｙになっている。受信電界強度７、９の平均値８、１０が略等しいこの境界領域では、既知のハンドオーバ方法が実行され、そして、移動無線機器６のトリガ基準（例えば、受信電界強度７、９のヒステリシスを有するハンドオーバ閾値）に応じて一方の基地局１、２から他方の基地局２、１に切り替えられ、それとともに移動無線機器６が一方の無線セル３、４でログオフし、他方の無線セル４、３にログインする。
【００２４】
境界領域５にある移動無線機器６がひっきりなしに一方の基地局から他方の基地局１、２に、そしてそれと同時に無線セル３、４が変更されることを回避するために、例えば移動無線機器６の上方を指す矢印で示された受信電界強度７、９のヒステリシスを有するハンドオーバ閾値１１として特定のトリガ基準が事前に定義されるが、ここでは、そのヒステリシス１１は移動無線機器６の受信電界強度７、９の差分である。
【００２５】
両基地局１、２から放射される移動無線機器６の両受信電界強度７、９間の事前定義されたレベル差が越えられていない場合、移動無線機器６は、ログインした基地局１又は２にとどまり、ハンドオーバは実行されない。しかしこのレベル差が越えられた場合、ログインした基地局１又は２から、この基地局に隣接するより高い受信電界強度９又は７を有する基地局２又は１への移動無線機器６のハンドオーバが行われる。
【００２６】
ヒステリシスを有するハンドオーバ閾値１１のハンドオーバ基準に代えて、又はこれに加えて、受信電界強度７、９の絶対値及び／又は一般的なＲＲＭパラメータ（Ｒａｄｉｏ  Ｒｅｓｓｏｕｒｃｅ  Ｍａｎａｇｅｍｅｎｔ  Ｐａｒａｍｅｔｅｒｓ）を考慮に入れてもよい。
【００２７】
次に、図２は、本発明による両基地局１、２間にある移動無線機器６の受信電界強度７、９の分布を示し、ここでは、ヒステリシスを有するハンドオーバ閾値１１、即ち、両受信電界強度７、９間のレベル差プラスマイナスヒステリシス公差が図１よりも実質的に大きく、したがって、すでに最適化された値を有している。
【００２８】
左側基地局１から右側基地局２、すなわち左側無線セル３から右側無線セル４への移動無線機器６の例示的移動方向が、図１及び図２の両方において参照符号「Ｚ」で示される。当然のことながら移動無線機器６の移動方向は、移動方向Ｚの逆でもよく、その場合、右から左へ、右側無線セル４から左側無線セル３へ、右側基地局２から左側基地局１への移動が行われる。
【図１】
2010536294.tif 000003
【図２】
2010536294.tif 000004
【手続補正書】
【提出日】平成21年6月9日(2009.6.9)
【手続補正１】
【補正対象書類名】明細書
【補正対象項目名】０００９
【補正方法】変更
【補正の内容】
【０００９】
種々異なるメーカのｅＮｏｄｅＢが隣接する場合、そこで用いられる決定アルゴリズムもそれぞれ異なることになるので、起こり得る問題はさらに大きくなる。
米国特許出願公開第２００６／０００３７６８号は、互いに離隔された固定基地局により画定される複数の無線セルと、前記基地局の送信及び受信範囲にある固定式の、及び／又は、例えば移動無線電話などの移動式の移動無線局とを有する移動無線網におけるピンポンハンドオーバを回避する方法を開示している。接続が確立された状態での接続／アクティブモードにおいて、ソース基地局から目的基地局への移動無線局の望ましくない繰り返しのハンドオーバが、ハンドオーバ方法を開始するためのものでもあるシステムメッセージが前記移動無線局と前記基地局との間で伝送されるハンドオーバ方法により、回避される。ハンドオーバ方法に関する情報が前記ハンドオーバ方法を開始するためのシステムメッセージで伝送され、更に、前記移動無線局及び／又は前記関与する基地局のうちの少なくとも１つの最適動作パラメータが、前記移動無線局によって、及び／又は、前記関与する基地局のうちの少なくとも１つによって自動的に検出及び調節されている。
【手続補正２】
【補正対象書類名】特許請求の範囲
【補正対象項目名】全文
【補正方法】変更
【補正の内容】
【特許請求の範囲】
【請求項１】
互いに離隔された固定基地局（１、２）により画定される複数の無線セル（３、４）と、前記基地局の送信及び受信範囲にある固定式の、及び／又は、例えば移動無線電話などの移動式の移動無線局（６）とを有する移動無線網におけるピンポンハンドオーバを回避する方法であって、接続が確立された状態での接続／アクティブモードで、ハンドオーバ方法により、ソース基地局（１又は２）から目的基地局（２又は１）への移動無線局（６）の望ましくない繰り返しのハンドオーバが回避されるが、前記移動無線局（６）と前記基地局（１、２）との間で、前記ハンドオーバ方法を開始するためのものでもあるシステムメッセージが伝送され、更に、ハンドオーバ方法に関する情報が前記ハンドオーバ方法を開始するためのシステムメッセージで伝送され、次いで、該情報によって前記移動無線局（６）及び／又は前記関与する基地局（１、２）のうちの少なくとも１つの最適動作パラメータが、前記移動無線局（６）によって、及び／又は、前記関与する基地局（１、２）のうちの少なくとも１つによって自動的に検出及び調節される方法において、すでに実施されたハンドオーバ方法に関する履歴情報が情報として使用され、前記履歴情報が、例えば、前記移動無線局（６）及び／又は前記基地局（１、２）の受信電界強度及び／又は送信電界強度（７、９）などの、基地局（１、２）のハンドオーバ要求理由を含み、更に、前記履歴情報が、基地局の単位時間あたりのハンドオーバ要求の頻度を含み、次いで、前記移動無線局（６）及び／又は前記関与する基地局（１、２）のうちの少なくとも１つの前記最適動作パラメータが、前記移動無線局（６）及び／又は前記関与する基地局（１、２）のうちの少なくとも１つの前記受信電界強度及び／又は送信電界強度（７、９）のヒステリシス公差を有する差分値（１１）を含み、特に、前記移動無線局（６）の最適ヒステリシス公差が設定されることを特徴とする方法。
【請求項２】
前記履歴情報が、最後にハンドオーバを要求した基地局（１又は２）の識別子を含むことを特徴とする請求項１に記載の方法。
【請求項３】
前記移動無線局（６）及び／又は前記関与する基地局（１、２）のうちの少なくとも１つの前記最適動作パラメータが、ハンドオーバをトリガする前記対応するネットワークエレメント（６）において特に設定される前記受信電界強度及び／又は送信電界強度（７、９）の事前に定義された上絶対値及び／又は下絶対値を含むことを特徴とする請求項１又は２に記載の方法。
【請求項４】
前記移動無線局（６）の前記最適動作パラメータが、特に、前記移動無線局（６）によって調節されるＲＲＭ（Ｒａｄｉｏ  Ｒｅｓｓｏｕｒｃｅ  Ｍａｎａｇｅｍｅｎｔ）パラメータを含むことを特徴とする請求項１乃至３のうちの一項に記載の方法。
【請求項５】
前記移動無線網（３、４）が、ＧＳＭネット、ＵＭＴＳネット、又はＬＴＥ移動無線網又は、例えば、ＷｉＭＡＸである等価の移動無線網であることを特徴とする請求項１乃至４のうちの一項に記載の方法。
【請求項６】
前記方法が、同じ及び異なるメーカのネットワークエレメントを有するネットワーク（３、４）において用いられることを特徴とする請求項１乃至５のうちの一項に記載の方法。
【国際調査報告】
2010536294.tif 000005
2010536294.tif 000006
2010536294.tif 000007
2010536294.tif 000008
2010536294.tif 000009
2010536294.tif 000010
2010536294.tif 000011
2010536294.tif 000012